Podtech/llm-jp-corpus-v4-ja_patent huggingface dataset:
(57)【要約】      （修正有）【課題】簡単な構造、美しい外観という特徴を持つＳ字状のティーテーブルを提供する。【解決手段】Ｓ字状のティーテーブルであって、第一パネル１、第二パネル３と第三パネル５を含み、第一パネルの下に第二パネルが設置され、第一パネルと第二パネルの間に第一連結プレート６が設置され、第二パネルの下に第三パネルが設置され、第二パネルと第三パネルの間に第二連結プレート４が設置され、第一パネルの内部にキャビティ２が設置されている。外観形状がＳ文字の形をし、第一パネルの内部にキャビティが設置され、キャビティ内部に広告看板を設置することができる。その構造は簡単で、経済的で、実用的であり、加工と生産がし易い。【選択図】図１
0003188388.tif 000002
【実用新案登録請求の範囲】
【請求項１】
S字状のティーテーブルで、その特徴とは：第一パネル、第二パネルと第三パネルを含め、上述した第一パネルの下に第二パネルが設置され、第一パネルと第二パネルの間に第一連結プレートが設置され、第二パネルの下に第三パネルが設置され、第二パネルと第三パネルの間に第二連結プレートが設置され、第一パネルの内部にキャビティが設置されていることを特徴とするS字状のティーテーブル。
【考案の詳細な説明】
【技術分野】
【０００１】
本実用新案は家具リビングの分野に関与して、具体的にはS字状のティーテーブルである。
【背景技術】
【０００２】
現在市場に出回っているティーテーブルでは、不当な設計や、外観がよくないなどの問題が存在している。
【考案の概要】
【考案が解決しようとする課題】
【０００３】
本実用新案で解決しようとする技術問題とは、簡単な構造、美しい外観という特徴を持つS字状のティーテーブルを提供したい。
【課題を解決するための手段】
【０００４】
本実用新案では、次の技術的な案を通して、実現したものである：
本実用新案のS字状のティーテーブルは、第一パネル、第二パネルと第三パネルを含め、上述した第一パネルの下に第二パネルが設置され、第一パネルと第二パネルの間に第一連結プレートが設置され、第二パネルの下に第三パネルが設置され、第二パネルと第三パネルの間に第二連結プレートが設置され、第一パネルの内部にキャビティが設置されている。
【考案の効果】
【０００５】
本実用新案の有益な効果とは：本実用新案の全体はS文字の形をし、第一パネルの内部にキャビティが設置され、キャビティ内部に広告看板を設置することができる。その構造は簡単で、経済的で、実用的であり、加工と生産がし易い。
【図面の簡単な説明】
【０００６】
【図１】本実用新案S字状のティーテーブルの構造概略図である。
【考案を実施するための形態】
【０００７】
説明を容易にするために、本実用新案は次の具体的な実施例、及び添付図面で詳しく説明する。
【０００８】
図1の様に、本実用新案のS字状のティーテーブルは、第一パネル1、第二パネル3と第三パネル5を含め、上述した第一パネル1の下に第二パネル3が設置され、第一パネル1と第二パネル3の間に第一連結プレート6が設置され、第二パネル3の下に第三パネル5が設置され、第二パネル3と第三パネル5の間に第二連結プレート4が設置され、第一パネル1の内部にキャビティ2が設置されている。
【０００９】
本実用新案の有益な効果とは：本実用新案の全体はS文字の形をし、第一パネルの内部にキャビティが設置され、キャビティ内部に広告看板を設置することができる。その構造は簡単で、経済的で、実用的であり、加工と生産がし易い。
【００１０】
上記内容は、本実用新案の具体的な実施方式のみであり、本実用新案の保護範囲では、これに限定されるものではない。創造的な仕事をせず、思いついた任意の変更、また交換は、すべて本実用新案の保護範囲に覆われる。従って、本実用新案の保護範囲は、権力要求書で限定された範囲に準じる。
【符号の説明】
【００１１】
1  第一パネル
2  キャビティ
3  第二パネル
4  第二連結プレート
5  第三パネル
6  第一連結プレート
【図１】
0003188388.tif 000003
(57)【要約】      （修正有）【課題】構造が簡単で、経済的で、実用的な多機能ティーテーブルを提供する。【解決手段】上層パネル１とボトムパネル３を含め、上層パネル１に温度計２が設置され、上層パネル１の中央下部に加湿器５が設置され、上層パネル１下部の両端に支持脚４が設置され、支持脚４の間にボトムパネル３が設置される。簡単な構造、柔軟で使いやすく、低い生産コスト、人々の多様なニーズを満足でき、良好な市場の見通しという利点を持つ。【選択図】図１
0003188386.tif 000002
【実用新案登録請求の範囲】
【請求項１】
多機能ティーテーブルで、その特徴とは：上層パネルとボトムパネルを含め、上述した上層パネルに温度計が設置され、上層パネルの中央下部に加湿器が設置され、上層パネル下部の両端に支持脚が設置され、支持脚の間にボトムパネルが設置されることを特徴とする多機能ティーテーブル。
【考案の詳細な説明】
【技術分野】
【０００１】
本実用新案は家具リビングの分野に関与して、具体的には多機能ティーテーブルである。
【背景技術】
【０００２】
ティーテーブルは人々の日常生活に、お茶を飲むときよく使われる家具である。しかし、現在のティーテーブルには多くの不足が存在し、人々の実用的なニーズを満たすことができない。伝統的なティーテーブルは1つテーブルのみで、収納スペースが小さく、機能も単一である。
【考案の概要】
【考案が解決しようとする課題】
【０００３】
本実用新案で解決しようとする技術問題とは、構造が簡単で、経済的で、実用的な多機能ティーテーブルを提供したい。
【課題を解決するための手段】
【０００４】
本実用新案では、次の技術的な案を通して、実現したものである：
本実用新案の多機能ティーテーブルは、上層パネルとボトムパネルを含め、上述した上層パネルに温度計が設置され、上層パネルの中央下部に加湿器が設置され、上層パネル下部の両端に支持脚が設置され、支持脚の間にボトムパネルが設置される。
【考案の効果】
【０００５】
本実用新案の有益な効果とは：本実用新案は、簡単な構造、柔軟で使いやすく、低い生産コスト、人々の多様なニーズを満足でき、良好な市場の見通しという利点を持つ。
【図面の簡単な説明】
【０００６】
【図１】本実用新案多機能ティーテーブルの構造概略図である。
【考案を実施するための形態】
【０００７】
説明を容易にするために、本実用新案は次の具体的な実施例、及び添付図面で詳しく説明する。
【０００８】
図1の様に、本実用新案の多機能ティーテーブルは、上層パネル1とボトムパネル3を含め、上述した上層パネル1に温度計2が設置され、上層パネル1の中央下部に加湿器5が設置され、上層パネル1下部の両端に支持脚4が設置され、支持脚4の間にボトムパネル3が設置される。
【０００９】
本実用新案の有益な効果とは：本実用新案は、簡単な構造、柔軟で使いやすく、低い生産コスト、人々の多様なニーズを満足でき、良好な市場の見通しという利点を持つ。
【００１０】
上記内容は、本実用新案の具体的な実施方式のみであり、本実用新案の保護範囲では、これに限定されるものではない。創造的な仕事をせず、思いついた任意の変更、また交換は、すべて本実用新案の保護範囲に覆われる。従って、本実用新案の保護範囲は、権力要求書で限定された範囲に準じる。
【符号の説明】
【００１１】
1  上層パネル
2  温度計
3  ボトムパネル
4  支持脚
5  加湿器
【図１】
0003188386.tif 000003
(57)【要約】      （修正有）【課題】携帯に便利で、きれいで清潔なポータブル寝袋を提供する。【解決手段】本体１と、本体に設けられた結合部５とを備えており、結合部が閉塞された場合に、本体は、その前端のみが開口端４となる一つの袋体を呈しており、開口端の上縁部には掛け布団を押さえるための第１の延伸部２が形成されており、下縁部には枕を包むための第２の延伸部３が形成されており、第１の延伸部と第２の延伸部は互いに分離している。【選択図】図１
0003188348.tif 000002
【実用新案登録請求の範囲】
【請求項１】
本体（１）と、結合部（５）とを備えており、前記結合部（５）が本体（１）に設けられたポータブル寝袋であって、前記結合部（５）が閉塞された場合に、本体（１）は、その前端のみが開口端（４）となる一つの袋体を呈しており、前記開口端（４）は、上縁部に掛け布団を押さえるための第１の延伸部（２）が形成されており、下縁部に枕を包むための第２の延伸部（３）が形成されており、前記第１の延伸部（２）と前記第２の延伸部（３）とが互いに分離していることを特徴とするポータブル寝袋。
【請求項２】
前記結合部（５）は、前記本体（１）の開口端（４）に隣接している一方の側辺に設けられていることを特徴とする請求項１に記載のポータブル寝袋。
【請求項３】
前記結合部（５）は、ファスナーであることを特徴とする請求項１又は２に記載のポータブル寝袋。
【請求項４】
前記第１の延伸部（２）は、前後に折り返すことが可能であることを特徴とする請求項１に記載のポータブル寝袋。
【請求項５】
前記第２の延伸部（３）は、前後に折り返すことが可能であることを特徴とする請求項１に記載のポータブル寝袋。
【考案の詳細な説明】
【技術分野】
【０００１】
本考案は、寝袋に関し、特に、携帯に便利で、きれいで清潔な寝袋に関するものである。
【背景技術】
【０００２】
日常生活に、人々がよく外出したり、旅行へ行ったりしており、特に、頻繁に出張する人々にとって、ホテルに住むときに、布団や枕が不潔で不衛生であることがたびたびあり、これは、気分に影響を与えるだけではなく、さらに重要なことは、病気を伝染される可能性があることである。
【考案の概要】
【考案が解決しようとする課題】
【０００３】
従来技術の欠点に対し、本考案の目的は、携帯に便利で、きれいで清潔な寝袋を提供することにある。
【課題を解決するための手段】
【０００４】
上記の目的を達成するために、本考案に採用される技術的方案は、本体と、結合部とを備えており、前記結合部が本体に設けられたポータブル寝袋であって、前記結合部が閉塞された場合に、本体は、その前端のみが開口端となる一つの袋体を呈しており、前記開口端は、上縁部に掛け布団を押さえるための第１の延伸部が形成されており、下縁部に枕を包むための第２の延伸部が形成されており、前記第１の延伸部と前記第２の延伸部とが互いに分離しているものである。
【０００５】
上記の方案において、前記結合部は、前記本体の開口端に隣接している一方の側辺に設けられている。
【０００６】
上記の方案において、前記結合部は、ファスナーである。
【０００７】
上記の方案において、前記第１の延伸部は、前後に折り返すことが可能である。
【０００８】
上記の方案において、前記第２の延伸部は、前後に折り返すことが可能である。
【考案の効果】
【０００９】
本考案に係るポータブル寝袋は、構造が簡単で、携帯に便利で、きれいで清潔な使いやすいものであり、出張でホテルに住むときに、布団や枕の不潔による不快及び病気の伝染を効果的に回避することができる。
【図面の簡単な説明】
【００１０】
【図１】本考案は、以下の図面を有し、即ち、図１は、本考案の構成模式図である。
【考案を実施するための形態】
【００１１】
以下、本考案を図面に基づいてより詳細に説明する。
【００１２】
図１に示すように、ポータブル寝袋は、本体１と、結合部５とを備えており、前記結合部５が本体１に設けられており、前記結合部５が閉塞された場合に、本体１は、その前端のみが開口端４となる一つの袋体を呈しており、前記開口端４は、上縁部に掛け布団を押さえるための第１の延伸部２が形成されており、下縁部に枕を包むための第２の延伸部３が形成されており、前記第１の延伸部２と前記第２の延伸部３とが互いに分離している。
【００１３】
好ましくは、前記結合部５は、前記本体１の開口端４に隣接している一方の側辺に設けられている。
【００１４】
好ましくは、前記結合部５は、ファスナーである。
【００１５】
好ましくは、前記第１の延伸部２は、前後に折り返すことが可能である。
【００１６】
好ましくは、前記第２の延伸部３は、前後に折り返すことが可能である。
【００１７】
使用するときに、本考案に係るポータブル寝袋を、ベッドに敷いて、ポータブル寝袋上に、掛け布団を覆い被せ、掛け布団の前端を第１の延伸部２で包み、枕を第２の延伸部３で包み、寝るときに、結合部５を開けて、使用者が本体１内に入り、結合部５を閉じる。このように、使用全過程において、体が掛け布団や枕に全然接触しないことになる。
【００１８】
上記に例を挙げて本考案を説明したが、本考案が上記の具体的な実施例に限定されなく、本考案に基づいて作った如何なる修正又は変形は、いずれも本考案の保護請求しようとする範囲に属するものである。
【図１】
0003188348.tif 000003
(57)【要約】      （修正有）【課題】傘を使用した後に傘内側に付着した水滴を乾燥したい時に様々な形状な柄の方に固定対応できる物がなく、傘の内側と外側の水滴を物干し竿等に掛け日陰干しできることを容易にした傘干し具を提供する。【解決手段】傘の先１もしくは柄の部分２にはまるクリップ３をフック４と一体化した構造とし、物干し竿等に掛けて干すことができることを特徴とする。【選択図】図４
0003188854.tif 000002
【実用新案登録請求の範囲】
【請求項１】
傘の先もしくは柄の部分にはまるクリップをフックと一体化して傷およびずり落ち防止材をクリップに装着した傘干し具。
【考案の詳細な説明】
【技術分野】
【０００１】この考案は傘を使用した後に容易に干す事を解決するために、傘の先の部分あるいは柄の部分にはさむクリップを物干し竿等に掛けるフックと一体化して傷およびずり落ち防止材等をクリップ内側に装着して、物干し竿等に掛けて飛来したりしない様に安心して干すことができるようにしたものである。
【背景技術】
【０００２】従来は、傘の先にしか固定できなく様々な形状な柄の方にも固定対応できる物がなかった。またクリップで傷が付き易かった。
【考案の概要】
【考案が解決しようとしている課題】
【０００３】傘を使用した後に傘内側に水滴が付着したまま放置して骨に錆が発生して腐食したり、カビ臭い匂いが発生する問題点があった。
【課題を解決するための手段】
【０００４】傘内側の水滴を乾燥させるために、傘の先１もしくは柄の部分２にはさむクリップ３をフック４と一体化して傷およびずり落ち防止材５をクリップ内側に装着して物干し竿６等にかけて干すことができるようにした。
【考案の効果】
【０００５】傘の柄の形状違いにもクリップをはさむ事により傘の先の部分でも柄の部分でも取り付けができて傘の内側と外側の水滴を日陰干しして乾燥を容易に行う事ができる。
【図面の簡単な説明】
【０００６】
【図１】本考案の平面図である。
【図２】本考案の立面図である。
【図３】本考案の断面図である。
【図４】本考案の使用状態を示す斜視図である。
【符号の説明】
【０００７】１  傘の先
２  柄の部分
３  クリップ
４  フック
５  傷およびずり落ち防止材
６  物干し竿
【図１】
0003188854.tif 000003
【図２】
0003188854.tif 000004
【図３】
0003188854.tif 000005
【図４】
0003188854.tif 000006
(57)【要約】      （修正有）【課題】切断した爪の破片が上刃、下刃の両サイドの隙間等から飛び散ることが無い爪切りを提供する。【解決手段】ハンドル４を押さえ上刃２Ａと下刃３Ａによって爪を切る爪切り１において、上刃２Ａ及び下刃３Ａの内側からハンドル軸５の周りまで隙間無く緩衝材６を設ける。切断した爪の破片が上刃２Ａ、下刃３Ａの内側からハンドル軸５の周りまで隙間無く設けられた緩衝材６に当たり、一時的に保持されるため、上刃２Ａ、下刃３Ａの両サイドの隙間等から飛び散ることが無い。【選択図】図１
0003188853.tif 000002
【実用新案登録請求の範囲】
【請求項１】
ハンドル（４）を押さえ上刃（２Ａ）と下刃（３Ａ）によって爪を切る爪切り（１）において、前記上刃（２Ａ）及び下刃（３Ａ）の内側からハンドル軸（５）の周りまで隙間無く緩衝材（６）を設けたことを特徴とする爪切り（１）。
【請求項２】
緩衝材（６）が、弾性のあるスポンジ、ゴム又は繊維からなることを特徴とする請求項１記載の爪切り（１）。
【考案の詳細な説明】
【技術分野】
【０００１】  本考案は、爪切りに関し、爪切りの上下の刃の内側に弾性のある緩衝材を設けた爪切りに関するものである。
【背景技術】
【０００２】  従来、平型の爪切りとしては、上下の刃が上板、下板の各々前端部に設けられこれらの上板、下板とハンドルとを貫通して一体化しているハンドル軸から形成され、一方、上板、下板の各々後端部は互いに接続されている。【０００３】  その際前記ハンドル軸がテコの原理によってハンドルを上板、下板側へ押さえて上刃及び下刃が食い切って爪を切断するものであった。【０００４】  なお、爪を切る際に爪が飛び散らないように、爪切り全体が樹脂等のケースで包まれたものが知られている。
【考案の概要】
【考案が解決しようとする課題】
【０００５】  しかしながら、爪切り全体がケースで包まれているものは、上下の刃先の側面までケースがふさいでいるため、爪の切る幅や爪の両端部を切る場合、ケースが邪魔になる欠点があった。そのため両端部を切る場合はわざわざケースを外したり、ケースから爪切りの上下の刃の部分だけをケースより少し出して切らなければならない課題が有った。【０００６】  一方で切断した爪の破片が上下の刃先の側面から飛散する欠点も有った。
【問題を解決するための手段】
【０００７】  上記課題を解決するために本考案は、ハンドル（４）を押さえ上刃（２Ａ）と下刃（３Ａ）によって爪を切る爪切り（１）において、前記上刃（２Ａ）及び下刃（３Ａ）の内側からハンドル軸（５）の周りまで隙間無く緩衝材（６）を設けたことを特徴とする爪切り（１）である。
【０００８】  更に、緩衝材（６）が、弾性のあるスポンジ、ゴム又は繊維からなることを特徴とする爪切り（１）である。
【考案の効果】
【０００９】  本考案の爪切りは、以上のような構成であるため、切断した爪の破片が上刃、下刃の内側からハンドル軸の周りまで隙間無く設けられた緩衝材に当たり、一時的に保持されるため上刃、下刃の両サイドの隙間等から飛び散ることが無い優れたものとなる。
【００１０】  更に爪切りをケースで包んだり、爪の両端部を切る際にいちいちケースから爪切りの上下の刃を少し出して切る手間も一切無い優れたものとなる。
【００１１】  もちろん、切りたい爪の長さが、上刃、下刃の側面から見ることが出来るので、深爪の危険もなく、少しずつ切断することが出来るものとなる。
【００１２】  又、ある程度切断した爪の破片をまとめてゴミ箱等に捨てることが出来る使い易い優れたものとなる。
【図面の簡単な説明】
【００１３】
【図１】  本考案の爪切り（１）に緩衝材（６）としてスポンジを装着する状況を示す斜視図である。
【図２】  本考案の爪切り（１）に緩衝材（６）としてスポンジが設けられた爪切り（１）がハンドル（４）を押し上げて緩衝材（６）が縮み、上刃（２Ａ）及び下刃（３Ａ）が閉じていく様子を説明する工程図である。
【本考案を実施するための形態】
【００１４】  本考案における爪切りの大きさ、形状、デザイン、材質等は特に限定されないが、平型と言われる上下の刃が上板、下板の各々前端部に設けられ、これらの上板、下板とハンドルとを貫通して一体化しているハンドル軸から形成されているものであり、前記上刃及び下刃の内側からハンドル軸の周りまで隙間無く設ける緩衝材も弾性のあるものであれば、スポンジ、ゴム又は繊維からなる大量生産出来るものが好ましい。
【００１５】  緩衝材の幅や厚みは、使用する爪切りの上刃、下刃更にはハンドル軸の太さに応じて適宣決められるが、上刃、下刃の幅とほぼ同じで、ハンドル軸に装着した際に上板と下板の間に隙間が出来ない様に設置する事が望まれる。
【００１６】  緩衝材自体の形状も四角形であっても丸形等でも良いが、爪の破片が上刃、下刃の両サイドから飛び散らぬよう四角形が好ましい。
【００１７】  又、緩衝材自体の経時変化、使用時による劣化の際は簡単に交換のため、脱着出来るのが好ましい。
【実施例】
【００１８】  本考案の一実施例を図１及び図２で説明するが、これによって本考案は何ら限定されるものではない。【００１９】  図１は、平型の爪切り（１）において、上板（２）の端部に上刃（２Ａ）が、下板（３）の端部に下刃（３Ａ）が設けられており、各々の反対側の端部は溶接によって一体化されている。なお、上刃（２Ａ）と下刃（３Ａ）を食い切る手段としてのハンドル（４）がハンドル軸（５）によって各々一体化されており、予めハンドル軸用穴（５Ａ）及び切れ目（６Ａ）が設けられた緩衝材としてのスポンジ（６）が、爪切り（１）の前記上刃（２Ａ）及び下刃（３Ａ）の内側からハンドル軸（５）の周りまで切れ目を通して隙間無く設けられている。【００２０】  図２は、図１のスポンジ（６）が設けられた爪切り（１）においてハンドル（４）を押し下げる事によってハンドル軸（５）をテコの支点としてスポンジ（６）が縮み、上刃（２Ａ）及び下刃（３Ａ）が閉じて爪が各々の刃によって切断される様子を示している。【００２１】  なお、この図より上刃（２Ａ）と下刃（３Ａ）が閉じると各々の刃の内側と後側に設けられたスポンジ（６）との間に爪の破片が当たり、上下の刃の両サイドから飛び散ることなく挟まれる事が理解出来る。
【符号の説明】
【００２２】１  爪切り
２  上板
２Ａ  上刃
３  下板
３Ａ  下刃
４  ハンドル
５  ハンドル軸
５Ａ  ハンドル軸用穴
６  緩衝材
６Ａ  切れ目
【図１】
0003188853.tif 000003
【図２】
0003188853.tif 000004
(57)【要約】      （修正有）【課題】製造コストが小さく、なおかつ優れた断熱効果をもたらす断熱材を提供する。【解決手段】断熱材本体は、合成樹脂製の気泡緩衝材状であって、中空状に膨出する多数のキャップ２が形成されたキャップフィルム３と、このキャップフィルムのキャップ開口側に積層されるバックフィルム４と、キャップフィルムとバックフィルムの間に成形された空間部とを備え、給気装置を介して、空間部に乾燥空気の１．５倍熱を伝えにくいアルゴンガスが充填された密封中空層が形成されるようにこれらを一体形成した。【選択図】図２
0003188851.tif 000002
【実用新案登録請求の範囲】
【請求項１】
断熱材本体は、合成樹脂製の気泡緩衝材状であって、中空状に膨出する多数のキャップが形成されたキャップフィルムと、このキャップフィルムのキャップ開口側に積層されるバックフィルムと、前記キャップフィルムとバックフィルムの間に成形された空間部とを備え、給気装置を介して、前記空間部にアルゴンガスが充填された密封中空層が形成されるようこれらを一体に成したことを特徴とする断熱材。
【考案の詳細な説明】
【技術分野】
【０００１】  本考案は、断熱材に関する。
【背景技術】
【０００２】  従来より、様々な用途に断熱材が使われているが、その多くは、断熱材中に閉じこめた空気層が断熱を効果的にするものであった。【０００３】  しかしながら、空気は熱を伝えやすい性質を有しており、断熱効果をより高めるためには断熱材の変更、あるいは断熱材を増量する必要があった。
【考案の概要】
【考案が解決しようとする課題】
【０００４】  本考案は、製造コストが小さく、なおかつ優れた断熱効果をもたらす断熱材を提供しようとするものである。
【課題を解決するための手段】
【０００５】  断熱材本体１は、合成樹脂製の気泡緩衝材状であって、中空状に膨出する多数のキャップ２が形成されたキャップフィルム３と、このキャップフィルム３のキャップ開口側に積層されるバックフィルム４と、前記キャップフィルム３とバックフィルム４の間に成形された空間部とを備え、給気装置を介して、前記空間部にアルゴンガスが充填された密封中空層５が形成されるようこれらを一体に成したことを特徴とした。
【考案の効果】
【０００６】  本考案によれば、アルゴンガスは乾燥空気に比べ１．５倍も熱を伝えにくく、空気中にも存在する気体であることから断熱材を安全に使用することができる。【０００７】  また、アルゴンガスは空気より重く、低い場所に滞留しやすいことから、断熱材製造過程に於いて高度な給気装置を要することなく容易にガス充填することが可能である。
【図面の簡単な説明】
【０００８】
【図１】  本考案に於ける断熱材の正面図である。
【図２】  本考案に於ける断熱材の構造を説明する分解図である。
【図３】  図１のＡ−Ｂ矢視拡大断面図である。
【考案を実施するための形態】
【０００９】  以下、本考案の実施の形態について、図面を参照して説明する。
図１・図２・図３に示すように、断熱材本体１は、合成樹脂製の気泡緩衝材状であって、中空状に膨出する多数のキャップ２が形成されたキャップフィルム３と、このキャップフィルム３のキャップ開口側に積層されるバックフィルム４と、前記キャップフィルム３とバックフィルム４の間に成形された空間部とを備え、給気装置を介して、前記空間部にアルゴンガスが充填された密封中空層５が形成されるようこれらを一体に成したことを特徴とした。
【符号の説明】
【００１０】    １    断熱材本体
２    キャップ
３    キャップフィルム
４    バックフィルム
５    密封中空層
【図１】
0003188851.tif 000003
【図２】
0003188851.tif 000004
【図３】
0003188851.tif 000005
(57)【要約】      （修正有）【課題】簡単に模様やデザインを変更できるカーペットを提供する。【解決手段】正方形のタイルカーペットを４枚以上使用するものであって、そのタイルカーペットの少なくとも１枚１が他のもの３と色や模様の異なるものとする。タイルカーペットの裏面に摩擦シートが貼付されているものが好ましい。また摩擦シートは、発泡粘着剤を使用したものとするのが好ましい。【選択図】図２
0003188897.tif 000002
【実用新案登録請求の範囲】
【請求項１】
正方形のタイルカーペットを４枚以上使用するものであって、そのタイルカーペットの少なくとも１枚が他のものと色や模様の異なるものであることを特徴とする組み合わせタイルカーペット。
【請求項２】
該タイルカーペットは、裏面に摩擦シートが貼付されているものである請求項１記載の組み合わせタイルカーペット。
【請求項３】
該摩擦シートは、発泡粘着剤を使用したものである請求項２記載の組み合わせタイルカーペット。
【考案の詳細な説明】
【技術分野】
【０００１】
本考案は、組み合わせタイルカーペットに関するものである。
【背景技術】
【０００２】
カーペットは、絨毯とも呼ばれ非常に古くから使用されているもので、その構造も種々のものがある。刺繍タイプ、織物タイプ、縫付けタイプ、接着タイプ、圧縮タイプ等である。
【０００３】
例えば、刺繍タイプとしては、基布に多数のミシン針でパイルを植えつけたタフテッドタイプ等がある。
【０００４】
このような多種のものであっても、カーペットはその敷設する区域を１枚で覆うものである。よって、１つの部屋にカーペットを敷くと、その模様やデザインを変えることはできない。まったく、別なカーペットに敷き替えなければ変わらないのである。
【０００５】
しかし、単なる個人の部屋であっても、レストランその他の公の場所であっても、人や店は雰囲気を変えたいと思う場合がある。即ち、気分転換である。
【考案の概要】
【考案が解決しようとする課題】
【０００６】
大きな店や経済的に余裕のある者は別だが、その他の者は気分転換のたびにカーペットを敷きかえることはできない。よって、簡単に模様やデザインを変更できるカーペットを提供する。
【課題を解決するための手段】
【０００７】
以上のような状況に鑑み、本考案者は鋭意研究の結果本考案組み合わせカーペットを完成したものであり、その特徴とするところは、正方形のタイルカーペットを４枚以上使用するものであって、そのタイルカーペットの少なくとも１枚が他のものと色や模様の異なるものである点にある。
【０００８】
ここで、カーペットとは、上記したもので通常カーペットや絨毯とよばれているものであればよく、特別なものである必要はない。その形状は正方形である。正方形がどの位置とも交換可能であり、９０度又は１８０度回転させることもでき、交換しても回転させても全体として同じ形状になるためである。
また、サイズとしては、特に限定はしないが、１０ｃｍ×１０ｃｍ〜１００ｃｍ×１００ｃｍ程度が好適である。
【０００９】
本考案では、組み合わせを変えて敷設するため、裏面は接着することなく、床（フローリングやコンクリート面等）に載置するだけである。よって、滑り止め（摩擦シート）を設けるか、裏面の材料を滑りにくいものにすることが重要である。
【００１０】
滑り止めとしては、発泡した粘着剤が好適である。この粘着剤はシート状のもので、粘性が長期に保たれるものである。
【００１１】
すくなくとも４枚以上使用するものである。４枚未満では交換してもほとんど意味がないためである。全体の枚数は自由であるが、２５〜１００枚程度、或いはそれ以上が好適である。敷設後の全体形状については、矩形（正方形や長方形）である必要はなく、デザイン上の要求があれば、例えば正方形の頂点と、隣接する正方形の頂点とをずらして配置し、外周をジグザグ状にしてもよい。
【００１２】
本考案では、色や模様の異なるものがあるため、その配置を変えると全体としても模様が変わるのである。例えば、全体が９枚で、ある色が５枚で他の色が４枚という２色のタイプでも非常に多くの組み合わせが可能である。これが３色、４色となればより多くなることは当然である。
【００１３】
また、１枚が単なる１色のものではなく、１枚に模様があればより多数になる。ここで模様とは、図形、キャラクター図、文字その他のものである。例えば、車の図形、富士山の図形、動物の絵等種々のものが考えられる。
【００１４】
本考案の使用方法としては、異なる色のものを好きなように配列して敷設するだけでよい。また、気分を替えたいとき等では、全部または一部のカーペットの配置を変えるだけでよい。裏面は接着されていないので、簡単に剥離できる。
【考案の効果】
【００１５】
本考案には、次のような効果がある。
（１）  色の異なるカーペットを準備するだけで、非常に多くの並べ方、すなわち異なる模様に敷設することができる。
（２）  接着するものではないので、簡単に部屋（カーペットを敷設した場所）の雰囲気を変えることができる。
【図面の簡単な説明】
【００１６】
【図１】本考案に使用するカーペットの１例の平面図である。
【図２】本考案組み合わせカーペットの１例の平面図である。
【図３】本考案組み合わせカーペットの１例の平面図である。
【図４】（ａ）（ｂ）は、いずれも本考案組み合わせカーペットの１例の平面図である。
【考案を実施するための最良の形態】
【００１７】
以下実施の形態に基づいて、本考案をより詳細に説明する。
図１は、本考案に係る組み合わせカーペットに使用するカーペットの１例であり、通常のカーペットを５０ｃｍ×５０ｃｍに裁断したものである。これは、ループタイプであり、色は赤である。
【００１８】
図２は、本発明考案組み合わせカーペット２の１例を示す。この例では全体として９枚で構成されている。図１の赤のカーペット１と白いカーペット３との組み合わせでできている。この例では図形としては、市松模様になっている。
【００１９】
図３は、図２と全く同じ９枚を使用するもものであるが、配置だけを変えたものである。全体として、十字模様が表現されている。９枚で２色だけでもいろいろ変えることは可能である。
【００２０】
例えば９枚を敷き詰める場合であっても、図２或いは図３のように正方形状に配置する以外に、図４（ａ）（ｂ）の如く、ずらして配置する方法もある。なお本図は、ずらし方を示すものであって、各カーペットは、色や模様による違いを区別せずに描出している。
【符号の説明】
【００２１】
１  赤いカーペット
２  組み合わせカーペット
３  白いカーペット
【図１】
0003188897.tif 000003
【図２】
0003188897.tif 000004
【図３】
0003188897.tif 000005
【図４】
0003188897.tif 000006
(57)【要約】      （修正有）【課題】消耗性固形材本体に固定することができ、同時に容易に破くことができる消耗性固形材用保護シートを提供する。【解決手段】消耗性固形材用保護シートに、シート本体５に対する連結部４を有する切欠片３を形成する。【選択図】図１
0003188887.tif 000002
【実用新案登録請求の範囲】
【請求項１】
巻き方向の端部に適宜間隔で複数の切れ目を形成し、該切れ目に対して同周位置の該当範囲内にシート本体に対する連結部を有する切欠片を形成した消耗性固形材用保護シート。
【考案の詳細な説明】
【技術分野】
【０００１】
クレヨンや消しゴムなど、使用によって自身が摩耗して体積減少する消耗性固形材に巻回して使用する消耗性固形材用保護シートに関する。
【背景技術】
【０００２】
特許文献１には、巻き方向に向かって突出する切欠片を上下方向に適宜間隔に複数形成したシートの一端を貼着して固形描画材に巻き回したシートが開示されている。
【先行技術文献】
【特許文献】
【０００３】
【特許文献１】特開２００７−２８３６５０号公報
【考案の概要】
【考案が解決しようとする課題】
【０００４】
切欠片は、消耗性固形材が使用によって摩耗した場合に、シートを破って新たに消耗性固形材を露出させる際に把持する部分となるため、ある程度の大きさ、特に長さが必要となるが、切欠片が長いと、消耗性固形材から浮き上がって容器内での収まりが悪かったり、把持の邪魔になることがあった。
【課題を解決するための手段】
【０００５】
本考案は、巻き方向の端部に適宜間隔で複数の切れ目を形成し、該切れ目に対して同周位置の該当範囲内にシート本体に対する連結部を有する切欠片を形成した消耗性固形材用保護シートを要旨とする。
【考案の効果】
【０００６】
切欠片にシート本体に対する連結部を形成したので、消耗性固形材に密着した方向に整置され、浮き上がらないので、容器内で整列させることができ、使用時に把持しても邪魔にならない。シートを破って消耗性固形材を露出させる際には、連結部を破り切欠片を長いものとして突出させることができるので、良好にシートを破り消耗性固形材の新たな表面を露出させることができる。
【図面の簡単な説明】
【０００７】
【図１】消耗性固形材用保護シートを示す平面図。
【図２】消耗性固形材用保護シートを消耗性固形材に巻いた状態を示す斜視図。
【考案を実施するための形態】
【０００８】
本考案の消耗性固形材用保護シートは、クレヨン、パス、チョーク、コンテなどの固形描画材や、消しゴムなどの固形消去材などの所謂消耗性固形材の外周に巻き回して、消耗性固形材の折損や、消耗性固形材を把持した時の手指の汚れを防止するためのものであり、その材質は紙、ポリエステル、ポリプロピレン、ポリエチレンテレフタレート等の合成樹脂フィルム、金属などの箔またはそれらの複合材料が好ましく使用できる。
【０００９】
シートを消耗性固形材に巻き回して貼り合わせるための糊材としては、ポリ酢酸ビニルやエチレン・酢酸ビニル共重合体水性エマルション等のポリビニールエーテル系、アクリル系、ポリエステル系、エポキシ系、合成ゴム系接着剤や、膠、アラビアガム（アカシアセネガル種、アカシアセヤル種）、黄色デキストリン、白色デキストリン、ブリティッシュガム等の天然水溶性高分子やカルボキシルメチルセルロース、ヒドロキシエチルセルロース、ヒドロキシプロピルセルロース等の半合成水溶性高分子、ポリビニールアルコール、水溶性アクリル系樹脂等の合成水溶性高分子が好適に用いられる。これらは単独もしくは２種以上を混合して使用しても良い。
前記糊材によって、シートの巻き重なった部分だけでなく、消耗性固形材表面とシートの内側面とが貼着されていてもよい。
【００１０】
切欠片は、消耗性固形材が使用によって摩耗した場合に、シートを破って新たに消耗性固形材を露出させる際に把持する部分であり、切欠片が消耗性固形材から浮き上がらないようにシート本体と連結した部位を形成するために非連続な切り込みによって形成されているものである。シートを破る際には、切欠片とシート本体の連結部を破ることで切り込みを連結し、切欠片を長いものとできるので、切欠片は把持しやすくなり、良好にシートを破ることができる。シートを破いて消耗性固形材を一定長さ露出させるために、切欠片は複数形成してよい。切欠片を形成する切り込みは、直線でも曲線でもよい。切欠片とシート本体の連結部は、１個でも複数個でも形成してよく、その大きさは、シートを破る際に切り込みの連結を妨げないものであればよい。
【実施例１】
【００１１】
図１にシートの平面図（展開図）を示す。
一側端に切れ目１を所定間隔で形成し、隣接する切れ目間の巾に対応して、この巾より短い巾の非連続な切り込み２によって切欠片３が形成されている。切欠片３は連結部４をもってシート本体５と連結されている。
切れ目１が形成されている辺は傾斜して形成されており、一方に向かって横断径が縮小するテーパ状に成形された断面円形の消耗性固形材に巻かれた際に巻き終わり部分が消耗性固形材の稜線に沿うようになっている。
図２に消耗性固形材６に巻かれた状態を示す。
切れ目１を形成された部分が巻き重なり部分の外側になるようにシートを巻き、少なくとも巻き重なり部分をデキストリンやアクリル系エマルションなどの糊剤で貼り付ける。この際、消耗性固形材表面とシートの内側面とが糊剤で貼着されることを妨げない。
切欠片３は連結部４によってシート本体５と連結されているので、消耗性固形材に巻かれても浮き上がったり突出したりしない。
【符号の説明】
【００１２】
１  切れ目
２  切り込み
３  切欠片
４  連結部
５  シート本体
６  消耗性固形材
【図１】
0003188887.tif 000003
【図２】
0003188887.tif 000004
(57)【要約】      （修正有）【課題】簡単に着脱出来る安価な椅子カバーを提供する。【解決手段】袋状に作られた背も垂れ部分１と、背も垂れ部分１と一体化して形成され、折り返し布部分３を有する座面部分２と、折り返し布部分３の一方の面に配置される固定用ゴムテープ４と、折り返し布部分３の他方の面に配置されるボタンと、を有し、折り返し布部分３を座席下部に折り返し、固定用ゴムテープ４をボタンに留めて固定する。【選択図】図１
0003188814.tif 000002
【実用新案登録請求の範囲】
【請求項１】
本考案品は、学習机と対に用いる椅子、オフイスの椅子、通常一般家庭で使用されている椅子に、取り付け、取り外しが簡単に出来るよう考案された椅子カバ−で、袋状に作られた背も垂れ部分と一体化している座面部分とを有し、座面部を折り返すことにより固定される椅子カバ−である。
【考案の詳細な説明】
【技術分野】
【０００１】本考案品は、古くなったり、すり切れて来り、椅子の雰囲気を一新したい時に用いる椅子カバ−である。
【背景技術】
【０００２】一度購入すると長持ちする椅子であるが、長年使用しているとレザ−部分が色褪せたり、布部分がすり切れることがあります。本考案品の着脱簡単椅子カバ−を取り付ける事により、使用年月が長くなります。
【考案の開示】
【考案が解決しようとする課題】
【０００３】長年使用してきた椅子を古くなったから、色褪せたからと廃棄するのも勿体ないですし、修理に出すのも面倒ですので、簡単に着脱出来る安価なものは無いか考えました。
【課題を解決するための手段】
【０００４】目的を達成するために、簡単に取り扱える材質は何かを考えました、布でも、ビニ−ル材、皮など簡単に縫製が出来るもので椅子の形状に柔軟に対応出来る物にしました。
【考案の効果】
【０００５】本考案品によって、すり切れぎみだった背も垂れ部分や、色褪せた椅子が、カバ−を被せることにより、全体が覆われ目新しくなった。
【考案実施のための最良の形態】
【０００６】椅子の背も垂れ部分に袋状態に仕立てられたカバ−をかぶせ、それに一体化して仕立てられている少し長めの座面部分の余り布を座席下部に折り曲げ、ボタン留めすることで簡単に取り付けられ、又、取り外すことが出来るようになった。
【実施例】
【０００７】以下は添付図面にて説明いたします。
【図面の簡単な説明】
【０００８】
【図１】は本考案品の  「着脱簡単椅子カバ−正面図」
【図２】は本考案品の  「着脱簡単椅子カバ−裏面図」
【符号の説明】
【０００９】１    正面背も垂れ部分
２    正面座席部分
３    正面折り返し布部分
４    正面折り返し布固定用ゴムテ−プ
５    裏面背も垂れ部分
６    固定用ゴムテ−プをとめるためのボタン
【図１】
0003188814.tif 000003
【図２】
0003188814.tif 000004
【手続補正書】
【提出日】平成25年11月16日(2013.11.16)
【手続補正１】
【補正対象書類名】実用新案登録請求の範囲
【補正対象項目名】全文
【補正方法】変更
【補正の内容】
【実用新案登録請求の範囲】
【請求項１】
袋状に作られた背もたれ部分と、前記背もたれ部分と一体化して形成され、折り返し布部を有する座面部分と、前記折り返し布部の一方の面に配置される固定用ゴムテープと、前記折り返し布部の他方の面に配置されるボタンと、を有し、前記折り返し布部を座席下部に折り返し、前記固定用ゴムテープを前記ボタンに留めて固定することを特徴とする椅子カバー。
(57)【要約】      （修正有）【課題】風雪、落雪時でも引っ張り強度を保つように、ねじ込みフック補強金具を提供する。【解決手段】一部凹凸した平鋼２の中央部に、ねじ込みフック１のひだの上部が入る様にした開口部を設け、両端部には木ビス打込み部を設け、木ビス打込みにより、ねじ込みフックにかかる張力を分散させる様にした。【選択図】図１
0003188811.tif 000002
【実用新案登録請求の範囲】
【請求項１】
ねじ込みフック（１）に、ビス、ネジ固定長方型開口部付固定金具（２）を取付けし、ねじ込フックの引っ張り強度を増強させる様にしたフック補強金具。
【考案の詳細な説明】
【技術分野】
【０００１】  本考案は、ねじ込みフックの引っ張り強度補強に関するものである。
【背景技術】
【０００２】  ねじ込みフックのねじ込み部分のみで張力を保つ様にしている。【０００３】  フック一本で張力を保つ様にしている。【０００４】  ねじ込みフックの引っ張り強度高めるための補強金具がないのが問題である【０００５】  この改善策としてねじ込みフックに、ビス，ネジ固定長方型開口部付固定金具を取り付けしたものである。
【考案の概要】
【考案が解決しようとする課題】  従来は、電線に、風による風圧、雪による着雪、屋根からの落雪等によりフックが抜け電線の弛み断線と言う問題を有していた。
【課題を解決するための手段】  上記問題を解決するため、ねじ込みフック（１）に、ビス、ネジ固定長方型開口部付固定金具（２）を取付け引っ張り強度を増すようにしました。
【考案の効果】本考案の、ねじ込みフック補強金具を使用することによってフックの抜けがなくなり風雪時でも安心出来るようになりましたました。
【図面の簡単な説明】
【図１】  ねじ込みフック補強金具の正面図である。
【図２】  ねじ込みフック補強金具の側面図である。
【図３】  ねじ込みフック補強金具の平面図である。
【考案を実施するための形態】
以下本考案の実施の形態を説明する。
ねじ込みフック（１）に、ビス、ネジ固定長方型開口部付固定金具（２）を取付けビス、ネジ等の固定により引っ張り強度を増強させるようにました。
【符号の説明】１  ねじ込みフック
２  ビス、ネジ固定長方型開口部付固定金具
【図１】
0003188811.tif 000003
【図２】
0003188811.tif 000004
【図３】
0003188811.tif 000005
【手続補正書】
【提出日】平成25年11月7日(2013.11.7)
【手続補正１】
【補正対象書類名】実用新案登録請求の範囲
【補正対象項目名】全文
【補正方法】変更
【補正の内容】
【実用新案登録請求の範囲】
【請求項１】
一部凹凸した平鋼に、ねじ込みフックのひだの上部に入る様にした開口部と木ビス打込み部を設け、木ビス打込みにより、ねじ込みフックにかかる張力を分散させる様にしたねじ込みフック補強金具。
【手続補正２】
【補正対象書類名】明細書
【補正対象項目名】全文
【補正方法】変更
【補正の内容】
【考案の詳細な説明】
【技術分野】
【０００１】  本考案は、ねじ込みフックの引っ張り強度補強に関するものである。
【背景技術】
【０００２】  ねじ込みフックのねじ込み部分のみで張力を保つ様にしている。【０００３】  フック一本で張力を保つ様にしている。【０００４】  ねじ込みフックの引っ張り強度高めるための補強金具がないのが問題である【０００５】  この改善策として一部凹凸した平鋼に、ねじ込みフックのひだの上部に入る様にした開口部と木ビス打込み部を設け、木ビス打込みにより、ねじ込みフックかかる張力を分散させる様にしました。
【考案の概要】
【考案が解決しようとする課題】  従来は、電線に、風による風圧、雪による着雪、屋根からの落雪等によりフックが抜け電線の弛み断線と言う問題を有していた。
【課題を解決するための手段】  上記問題を解決するため、ねじ込みフック（１）に、ねじ込みフック補強金具（２）を取付け引っ張り強度を増すようにしました。
【考案の効果】  本考案の、ねじ込みフック補強金具を取付することによってフックの抜けがなくなり風雪時でも安心出来るようになりました。
【図面の簡単な説明】
【図１】  ねじ込みフック補強金具の正面図である。
【図２】  ねじ込みフック補強金具の側面図である。
【図３】  ねじ込みフック補強金具の平面図である。
【考案を実施するための形態】
以下本考案の実施の形態を説明する。
ねじ込みフック（１）に、ねじ込みフック補強金具（２）を取付けする事により引っ張り強度を増強させるようにしました。
【符号の説明】  １  ねじ込みフック
２  ねじ込みフック補強金具
３  補強金具開口部
４  木ビス穴
【手続補正３】
【補正対象書類名】図面
【補正対象項目名】全図
【補正方法】変更
【補正の内容】
【図１】
0003188811.tif 000006
【図２】
0003188811.tif 000007
【図３】
0003188811.tif 000008
(57)【要約】      （修正有）【課題】抜けにくく、抜きたい時は簡単に抜けるネジ山付き釘を提供する。【解決手段】釘にネジ山を付けると抜けにくいが抜く必要がある時にはネジ山有りとネジ山無しを交互に作って、釘を打ち込み後１幅分回転する事により抜けにくくなり、抜きたい時には逆方向に１幅分回転すれば、抜けやすくなる。これにより短い釘でも抜けにくいものが出来る。この時ネジ山有りの方がネジ山無しより少し高くする。【選択図】図１
0003188813.tif 000002
【実用新案登録請求の範囲】
【請求項１】
ネジ山付き釘
【請求項２】
帯状にネジ山有りとネジ山無しを繰り返し３６０度等間隔にする。
【考案の詳細な説明】
【技術分野】
【０００１】普通の釘は抜けやすい。
【背景技術】
【０００２】ネジ山があれば抜けにくい。
【考案の概要】
【考案の解決しようとする課題】
【０００３】抜けにくく、抜きたい時は簡単に抜けるようにしたい。
【課題を解決するための手段】
【０００４】図１のように帯状にネジ山有りとネジ山無しを交互にする。
【図面の簡単な説明】
【０００５】
【図１】釘に帯状にネジ山有りとネジ山無しを繰り返し３６０度等間隔にする。
【図１】
0003188813.tif 000003
【手続補正書】
【提出日】平成25年11月8日(2013.11.8)
【手続補正１】
【補正対象書類名】実用新案登録請求の範囲
【補正対象項目名】全文
【補正方法】変更
【補正の内容】
【実用新案登録請求の範囲】
【請求項１】
帯状にネジ山有りとネジ山無しを繰り返し３６０度等間隔に配置したことを特徴とするネジ山付き釘。
【手続補正２】
【補正対象書類名】図面
【補正対象項目名】全図
【補正方法】変更
【補正の内容】
【図１】
0003188813.tif 000004
(57)【要約】      （修正有）【課題】釣竿とリールを取り付けた際にできる隙間を埋めて固定力を強化し、快適に釣りができる釣り用リールの調整用部品を提供する。【解決手段】適度な硬さと柔軟性を持つエンジニアリングプラスチックなどの特殊素材からなる調整用部品ＡをリールフットとリールシートＣの隙間に挟み込んで、釣竿とリールを強力に固定する。これにより、リールと釣竿とのがたつきが無くなり、使用時のストレスが解消され、さらに、釣竿とリールの一体感から、キャスティングの飛距離を伸ばすことができる。【選択図】図５
0003188815.tif 000002
【実用新案登録請求の範囲】
【請求項１】
リールと釣竿の取り付けの部分に調整用部品を入れることで、釣竿とリールの固定を強化させ、リールのがたつきを無くすことで釣り人のストレスを軽減させることを特徴とする釣り用リールの調整用部品。
【考案の詳細な説明】
【技術分野】
【０００１】  本考案は、釣り用リールに関するものである。
【背景技術】
【０００２】  従来の釣り用リールは、釣竿に取り付けるリールシートとの規格が合わないものがあり、特に大型と小型のリールは取り付けた間に隙間ができ、使用時にがたつくことがあった。これは様々なリールメーカーの規格に合うようにするため、釣竿のリールシート側に余裕を持たせてあるためである。このリールのがたつきがキャスティングやリーリングの妨げとなり、釣りに集中できない事例が多い。【０００３】  このがたつきを無くすために、固定用シールを出しているメーカーや、個人では両面テープを使って対処しているようだが、シールゆえに長時間の使用では不安定になり、水に濡れることによっても効果を失う。また両面テープではリールをはずす際に粘着で汚れてしまい、長期間の使用に耐えられるものではない。
【考案の概要】
【考案が解決しようとする課題】
【０００４】  本考案は、従来の技術の有するこのような問題点に鑑みてなされたものであり、その目的とするところは、リールを釣竿により強力に固定し、使用時のがたつきを無くすことでストレスなく釣りができるようにするための、釣り用リールの調整用部品を提供しようとするものである。
【課題を解決するための手段】
【０００５】  上記目的を達成するために、本考案における調整用部品をリールフットの形状にあわせて素材を切り抜き、リールフットとリールシートの間に挟みこんで固定した。素材は挟み込んで固定した際に、押しつぶされない程度の硬さとリールフットとリールシートにフィットする柔軟性をもつ、エンジニアリングプラスチック、硬質ゴム、金属類とした。素材の厚さは様々なリールの大きさに対応できるように数種類用意し、最適な厚さを選んで調整した、
【考案の効果】
【０００６】  リールフットとリールシートの隙間に調整用部品を挟む事で固定力が高まり、使用時のがたつきが無くなった。これによりキャスティングやリーリングの際にリールががたつくストレスから開放され、より釣りに集中できるようになった。また、スピニングリール、ベイトリールなどのリールフットの付いているリール全てに対応でき、スクリューナット式、スライド式などのリールシートの釣竿でも使用可能であるため、非常に優れた調整用部品である。【０００７】  本考案の調整用部品を使用することで、釣竿とリールの強い固定から生まれる一体感から釣り人の集中力が向上し、キャスティングの飛距離を伸ばすことができた。また、調整用部品の応用として、調整用部品を半分の長さにしてリールフットの後方へ配置して固定することで、リールの取り付け角度を変えることができる。これにより、キャスティングの際に起きるラインとガイドとの摩擦が軽減され、キャスティングの飛距離がさらに伸びた。
【図面の簡単な説明】
【図１】本考案の調整用部品の左側面図である。
【図２】本考案の調整用部品の背面図である。
【図３】本考案の調整用部品の底面図である。
【図４】本考案の調整用部品の正面図である。
【図５】本考案の調整用部品の実施例を示す図である。（ａ）は調整用部品を実施したリールフットのみの背面図である。（ｂ）は調整用部品を実施し、リールと釣竿を固定した際の、リールシート部分の左側面図である。
【考案を実施するための形態】
【０００８】  本考案の実施例を図で説明する。図１は本考案を実施した調整用部品の左側面図である。素材の厚みはリールフットとリールシートの隙間の大きさによって、最適な厚さを選び調整した。
【０００９】  図２は調整用部品の背面図である。調整用部品は、リールフットの大きさと形状にあわせてやや小さめに素材を切り抜いた。これをリールシートに配置した状態が図５の（ａ）である。
【００１０】  図３は調整用部品の底面図である。
【００１１】  図４は調整用部品の正面図である。
【００１２】  図５は実施例である。使用状態を明確にするため記載した。（斜線で記載した部分が調整用部品である。）（ａ）は切り抜いた調整用部品をリールフットからはみ出さないように配置したリールフットの背面図である。（ｂ）は（ａ）の状態の調整用部品をリールシートと挟んでからスクリューナットで締め付けて固定したものである。これにより、釣竿とリールの隙間がなくなり、互いが密着して固定されることで固定力が強化される。なお、スライド式リールシートの釣竿でも調整用部品は使用可能である。また、図５はスピニングリールのリールフットであるが、調整用部品はベイトリールでも同様に使用でき、リールを取り付ける釣具の全てに対応できる。
【符号の簡単な説明】
［Ａ］  調整用部品
［Ｂ１］リールフット背面
［Ｂ２］リールフット左側面
［Ｃ］  リールシート
［Ｄ］  スクリューナット
［Ｅ］  スピニングリール
【図１】
0003188815.tif 000003
【図２】
0003188815.tif 000004
【図３】
0003188815.tif 000005
【図４】
0003188815.tif 000006
【図５】
0003188815.tif 000007
【手続補正書】
【提出日】平成25年11月12日(2013.11.12)
【手続補正１】
【補正対象書類名】実用新案登録請求の範囲
【補正対象項目名】全文
【補正方法】変更
【補正の内容】
【実用新案登録請求の範囲】
【請求項１】
適度な硬さと柔軟性を持つエンジニアリングプラスチックなどの特殊素材をリールフットの形状にあわせて切り抜き、リールとリールシートの間にこの素材を挟み込んでから固定することで、釣竿とリールが強力に固定され、釣竿とリールのがたつきが無くなることを特徴とする釣り用リールの調整用部品。